(57)【要約】      （修正有）【課題】照射野が均等の明るさとなる装着型灯体を提供する。【解決手段】装着型灯体１は、前後方向に沿って貫通状に設けられた孔部を有する発光体支持部材１０と、孔部内に配置された状態で発光体支持部材に取り付けられる、前方へ光を照射するＬＥＤ光源２０と、ＬＥＤ光源の前方に配置され、ＬＥＤ光源の照射光を集光する第一レンズ体５０と、を備え、ＬＥＤ光源と第一レンズ体との間に、照射光の通過領域の面積を増減する絞り部３０が設けられている。【選択図】図３
0003217376.tif 000002
【実用新案登録請求の範囲】
【請求項１】
装着者の前方を照らす装着型灯体であって、
装着型灯体本体は、
装着者が頭部に装着している装着手段に取り付けられる中継部と、
前記中継部と連続し、前後方向に沿って貫通状に設けられた孔部を有する発光体支持部と、
前記孔部内に配置された状態で前記発光体支持部に取り付けられており、前方へ向けて光を照射する発光体と、
前記発光体の前方に配置され、前記発光体の照射光を集光するレンズ体と、
を備え、
前記照射光の通過領域の面積を増減する絞り部が、前記発光体と前記レンズ体との間に配置されている
ことを特徴とする装着型灯体。
【請求項２】
前記絞り部は、回動自在な複数の絞り羽根部材を具備し、
前記絞り羽根部材が、前記発光体支持部における前記孔部の前方開口端の周面にそれぞれ軸支されており、
前記絞り羽根部材の前面と前記レンズ体の後面とが対向している
請求項１に記載の装着型灯体。
【請求項３】
請求項２に記載の装着型灯体に用いられる発光体支持部を構成する発光体支持部材であって、
前記発光体支持部材が、一体成形された成形体からなる
ことを特徴とする発光体支持部材。
【考案の詳細な説明】
【技術分野】
【０００１】
本考案は、装着者の額や両眼間に装着されて、当該装着者の前方を照らす装着型灯体に関する。
【背景技術】
【０００２】
従来、特許文献１のように、ＬＥＤ光源から発せられた光を凸レンズで集光して装着者の前方を照らす所謂額帯灯が知られている。このような額帯灯は耳鼻咽喉科や歯科等の医師によく使用されている。また、一般的な額帯灯は、絞り部材が内蔵されており、照射光の絞りを可変させて照射野を拡大したり縮小したりすることが可能となっている。
【先行技術文献】
【特許文献】
【０００３】
【特許文献１】実用新案登録第３１９２５０号公報
【考案の概要】
【考案が解決しようとする課題】
【０００４】
ところが、従来の額帯灯にあっては、絞りを可変させて照射野を拡大したり縮小したりする際に、絞りの度合いによっては照射野の輪郭がぼやけて見えてしまう場合があった。そのため、このような額帯灯を使用する耳鼻咽喉科や歯科等の医師にとっては、患部の異常を正確に視認することが困難となる場合があった。なお、かかる問題は、額帯灯の最前位置に配されたフロントレンズの形状を最適化したり、絞り部品の位置を微調整することで解消しうるのであるが、フロントレンズにかかるコストが高騰したり、フロントレンズが大型化したり、あるいは絞り部品の位置調整が煩雑となったりするという別の問題が発生してしまう。
【０００５】
本考案は、絞りの度合いによらず照射野の輪郭を明瞭とすることができる装着型灯体を提供することを目的とする。
【課題を解決するための手段】
【０００６】
本考案は、装着者の前方を照らす装着型灯体であって、装着型灯体本体は、装着者が頭部に装着している装着手段に取り付けられる中継部と、前記中継部と連続し、前後方向に沿って貫通状に設けられた孔部を有する発光体支持部と、前記孔部内に配置された状態で前記発光体支持部に取り付けられており、前方へ向けて光を照射する発光体と、前記発光体の前方に配置され、前記発光体の照射光を集光するレンズ体と、を備え、前記照射光の通過領域の面積を増減する絞り部が、前記発光体と前記レンズ体との間に配置されていることを特徴とする装着型灯体である。
【０００７】
かかる構成にあっては、前記発光体から照射された光が絞り部を通過した後にレンズ体に入射する配置となっているため、所望の範囲に絞られた上で光りが前記レンズによって集光される。このため、装着型灯体で照らされる照射野の輪郭は、従来のように中心部のみ明るいといった不具合が解消されて、明瞭化されるという利点がある。そして、かかる構成とすることにより、従来のようにフロントレンズの形状を最適化する必要がないし、市販の絞り部品の位置を微調整する必要がない。
【０００８】
上記構成にあって、前記絞り部は、回動自在な複数の絞り羽根部材を具備し、前記絞り羽根部材が、前記発光体支持部における前記孔部の前方開口端の周面にそれぞれ軸支されており、前記絞り羽根部材の前面と前記レンズ体の後面とが対向している構成が望ましい。
【０００９】
ここで、通常、発光体とレンズ体との離間距離は、集光精度を高めるべく可及的に近接させて配置しなければならないところ、上述した構成とすることにより、発光体とレンズ体との間にあるわずかな隙間に、絞り羽根部材を配して絞り部を適切に設けることが可能となる。したがって、かかる構成とすることにより、額帯灯全体を従来に比して小型化することが可能となる。
【００１０】
また、本考案は、上述の装着型灯体に用いられる発光体支持部を構成する発光体支持部材であって、前記発光体支持部材が、一体成形された成形体からなることを特徴とする発光体支持部材である。
【００１１】
かかる構成とすることにより、装着型灯体全体を非常にコンパクトな構造とすることができる。
【考案の効果】
【００１２】
本考案にかかる装着型灯体は、絞り度合いによらず照射野の輪郭を明瞭とすることができる効果がある。
【００１３】
また、本考案にかかる発光体支持部材は、装着型灯体全体を非常にコンパクトな構造とすることができる効果がある。
【図面の簡単な説明】
【００１４】
【図１】実施例にかかる装着型灯体の外観斜視図である。
【図２】実施例にかかる装着型灯体本体の分解斜視図である。
【図３】実施例にかかる装着型灯体の概要を示す縦断面図である。
【図４】実施例にかかる発光体支持部材を示し、（ａ）及び（ｂ）は斜視図であり、（ｃ）は正面図であり、（ｄ）は縦断面図である。
【図５】実施例にかかるＬＥＤ光源の近傍を模式的に説明する概要縦断面図である。
【考案を実施するための形態】
【００１５】
以下に本考案を具体化した実施例を詳細に説明する。なお、本考案は、下記に示す実施例に限定されることはなく、適宜設計変更が可能である。例えば、照射光の向きを前方として説明するが、勿論、照射光は、水平方向に照射される構成に限定されず、装着手段に装着された状態で鉛直方向又は水平方向のいずれの方向に照射されるものであってもよい。
【００１６】
〔実施例〕
本実施例の装着型灯体１を図１等に従って説明する。
図１に示したように、装着型灯体１は、前後方向を軸とした円柱形状の装着型灯体本体２を備えている。この装着型灯体本体２の前端部は、発光部として機能している。一方、後端部は、ヒンジ部材３の一側が取り付けられ、ヒンジ部材３の他側には、中継部としてのクリップ部４が取り付けられている。なお、クリップ部４は、医師等の装着者が身につける眼鏡（装着手段）のレンズ等を前後方向から挟みこむ機能を有している。
【００１７】
また、図２に示すように、装着型灯体本体２は、発光体としてのＬＥＤ光源２０を支持する発光体支持部材１０を備えている。なお、この発光体支持部材１０は、アンダーカバー部５を介してヒンジ部材３と連続している。
【００１８】
また、発光体支持部材１０の前方には、絞り部３０が配置されている。
【００１９】
さらに、絞り部３０の前方には、絞り部３０を位置決めする環状の絞りリング部材４０が配置されている。
【００２０】
また、絞りリング部材４０の前方には、半球状のレンズ体である第一レンズ体５０が配置されている。
【００２１】
さらに、第一レンズ体５０の前方であって、装着型灯体本体２の最前位置には、照射光を集光する第二レンズ体８０が配置されている。なお、第一レンズ体５０と第二レンズ体８０との間には、通常配置される絞り部材が配置されておらず、レンズ間空隙Ｘが形成されている。
【００２２】
次に、本考案の要部について説明する。
【００２３】
発光体支持部材１０は、図４に示したように、前後方向の中心軸を有する円筒形本体部１１を具備している。また、円筒形本体部１１の内部には、前記中心軸に直交するベース面部１２が形成されているとともに、ベース面部１２の中央部には、前後方向に沿って貫通した孔部１３が設けられている。
【００２４】
また、ベース面部１２における前側の端面には正面視円形の凹陥部１４が、孔部１３を中心にして周状に複数（８個）形成されている。
【００２５】
さらに、円筒形本体部１１の側周部であって、ベース面部１２よりも前方には、内外を連通する長孔状の貫通孔１５が開口している。
【００２６】
そして、上述した発光体支持部材１０の孔部１３には、図５に示すように、発光体であるＬＥＤ光源２０が後側から差し込まれて取り付けられている。具体的に、ＬＥＤ光源２０は、光の照射方向に向かって凸形状となった半球形状を具備しており、その前端が孔部１３の前端と略等しい位置となるような配置とされている。
【００２７】
なお、ＬＥＤ光源２０には電源コード２１が接続されており、ＬＥＤ光源２０は図示しない電源から電気の供給を受けて照射光を前方へ照射する機能を備えている。
【００２８】
また、発光体支持部材１０におけるベース面部１２であって、孔部１３の前方開口端の周面となる位置には、絞り部３０が配置されている。
【００２９】
さらに詳述すると、絞り部３０は、略三日月形状の板片部材からなる絞り羽根部材３１を複数（８個）備えてなり、各絞り羽根部材３１の一端部からは、円柱状の支持部側凸軸部３２が突き出されている。
【００３０】
そして、支持部側凸軸部３２は、ベース面部１２に形成された凹陥部１４に嵌め込まれ、凹陥部１４が軸受けとして機能している。一方、各絞り羽根部材３１の他端部からは円柱状の絞りリング側凸軸部３３が突き出されており、このリング側凸軸部３３が後述の絞りリング部材４０と係合している。
【００３１】
前記絞りリング部材４０は、図５に示すように、絞り部３０の前方に配置されており、当該絞りリング部材４０の後端面には、複数（８個）の絞り羽根係合凹溝４１が放射状に設けられている。そして、絞り羽根係合凹溝４１に絞り羽根部材３１の絞りリング側凸部３３がそれぞれ嵌め込まれて係合した状態が確保されている。
【００３２】
かかる構成にあって、絞りリング部材４０が発光体支持部材１０に組み付けられた状態において発光体支持部材１０に対して絞りリング部材４０が周方向に回動すると、絞りリング部材４０における絞り羽根係合凹溝４１の案内作用によって全絞り羽根部材３１が支持部側凸軸部３２を中心に回動し、全絞り羽根部材３１によって囲繞された中央の開口領域の面積が拡大又は縮小していわゆる絞り機能が発揮される。すなわち、絞り羽根部材３１が回動することで、ＬＥＤ光源２０から照射された照射光の通過領域の面積を増減することが可能となる。
【００３３】
また、図５に示すように、絞りリング部材４０の内部であって、絞り羽根部材３１の前方には、前側に向かって凸形状となった第一レンズ体５０が配置されている。なお、第一レンズ体５０の後端面と、絞り羽根部材３１の前面とは互いに接触しない程度の隙間だけ空けて対向している。
【００３４】
また、絞りリング部材４０の前方には、略円筒形状の第一レンズ固定部６０が配置されている。この第一レンズ固定部６０は、第一レンズ体５０を固定する機能を有している。
【００３５】
また、第一レンズ固定部６０の前方には、円筒形状の第二レンズ固定部７０が配置されている。そしてさらに、第二レンズ固定部７０における前端部の内部には、照射光を集光する第二レンズ体８０が配置されている。
【００３６】
また、発光体支持部材１０、第一レンズ固定部６０、及び第二レンズ固定部７０の外側には、円筒形状のフォーカス部９０が配置されている。そして、発光体支持部材１０に形成された貫通孔１５に挿通されたピン９１によって、フォーカス部９０と絞りリング部材４０とが接続されている。かかる構成にあって、フォーカス部９０が周方向に回動することで、絞りリング部材４０が同軸上で回動する。
【００３７】
上記構成にあって、ＬＥＤ光源２０から照射された光が拡散する前に絞り部３０によって通過領域の面積を所定量に制限され、かつ第一レンズ体５０によって集光するため、光の拡散による明暗の差が小さくなり、照射対象に至った照射光の照射野は全体的に明瞭となる。
【００３８】
ここで、例えば従来のように、ＬＥＤ光源２０から発せられた照射光を先にレンズ体で集光してから絞り部等で通過領域の面積を制限する構成であると、レンズ体で集光された光が中央部に集中してしまい、結果的に、照射野において極小さい中央部分のみが明るく照らされてしまって、エッジとなる周縁部分が相対的に暗く見えてしまう現象が起こる。特に、光の明るさは光源からの距離の２乗に反比例するため、ＬＥＤ光源２０と第一レンズ体５０との離間距離が大きくなるほど、照射野における明暗の差は大きくなってしまう。一方、本実施例のようにＬＥＤ光源２０と第一レンズ体５０との間の距離が可及的に近接した場合には、かかる問題を好適に解消することが可能となる。
【００３９】
なお、上述の実施例に係る構成は、従来のように、絞りの度合いによることなく照射野の輪郭を明瞭とするために、第二レンズ体８０の形状を最適化する必要がないし、第一レンズ体５０と第二レンズ体８０との間において市販の絞り部品の位置を微調整する必要がない。このため、製造コストが高騰してしまう問題がなく、また、部品の組み付け作業が煩雑で面倒となる問題もない。
【００４０】
上記実施例において、各部の寸法形状は適宜自由に選択可能である。
【００４１】
また、発光体支持部材１０と第一レンズ固定部６０、並びに、第一レンズ固定部６０と第二レンズ固定部７０は、それぞれネジ溝を設けて互いに螺着する構造とすることが望ましいが、例えば接着剤等で固定しても構わない。また、発光体支持部材１０は、表面がアルマイト処理されて、一体成形された成形体であることが望ましい。
【００４２】
また、絞り羽根部材３１の形状は特に限定されないが、可及的に薄い厚さの板材で構成されていることが望ましい。
【００４３】
また、装着手段としては、眼鏡以外にも、従来の額帯灯と同様に額帯が用いられていても構わない。
【符号の説明】
【００４４】
１            装着型灯体
２            装着型灯体本体
３            ヒンジ部材
４            クリップ部（中継部）
５            アンダーカバー部
１０          発光体支持部材
１１          円筒形本体部
１２          ベース面部
１３          孔部
１４          凹陥部
１５          貫通孔
２０          ＬＥＤ光源（発光体）
２１          電源コード
３０          絞り部
３１          絞り羽根部材
３２          支持部側凸軸部
３３          絞りリング側凸軸部
４０          絞りリング部
４１          絞り羽根係合凹溝
５０          第一レンズ体（レンズ体）
６０          第一レンズ固定部
７０          第二レンズ固定部
８０          第二レンズ体
９０          フォーカス部
９１          ピン
【図１】
0003217376.tif 000003
【図２】
0003217376.tif 000004
【図３】
0003217376.tif 000005
【図４】
0003217376.tif 000006
【図５】
0003217376.tif 000007